(57)【特許請求の範囲】
【請求項１】
機体の中心部位に配設した伝動ケースの左右両側に、それぞれ異なる位相で昇降駆動される施肥ノズルを配設し、該施肥ノズルで肥料タンク内の流動性肥料を圃場内に灌注する施肥機において、上記機体の前部に設けた水平タンクフレームに肥料タンクを配設し、該肥料タンクの下方空間部に補給用肥料袋の収納容器を配設したことを特徴とする施肥機における補給用肥料袋の収納装置。
【請求項２】
補給用肥料袋の収納容器は、上方開放状のフラットな面板からなる直方体に形成され、補給用肥料袋を収納した状態では、水平タンクフレームの中心より左右部位に配設され、かつ対向する内側面板の後端部は水平タンクフレームに植立した回動支点軸に嵌合され、前面板の内側面板側に突設した杆状の開閉操作用把手の水平部の先端は、水平タンクフレームの前端部の左右部位に植立した垂直タンクフレームに係止された状態で、該垂直タンクフレームに取付座を介して取着した開閉レバーのフック部に係合支持され、肥料補給時には開閉レバーの下方への回動操作によりフック部との係合が解除され、回動支点軸を中心に斜め外側方に回動可能となるように構成されていることを特徴とする請求項１記載の施肥機における補給用肥料袋の収納装置。
【請求項３】
補給用肥料袋は、収納容器と略同形に形成され、相互の四周面板の対向間隔を可及的に狭く設定されていることを特徴とする請求項１または２記載の施肥機における補給用肥料袋の収納装置。
【請求項４】
開閉レバーは、緊締具により垂直タンクフレームに取付座を介して取着され、取付座の上部側と下部側に固着される緊締具のうち、下部側の緊締具は開閉レバーの下方への回動軌跡内に突出させて固着し、下方への回動を規制するストッパーに構成したことを特徴とする請求項２記載の施肥機における補給用肥料袋の収納装置。
【発明の詳細な説明】
【０００１】
【発明の属する技術分野】
本発明は、施肥機における補給用肥料袋の収納装置に係り、詳しくは、機体の前部に配設した肥料タンクの下方空間部に、補給用肥料袋の収納容器を配設して機体のコンパクト化を図り、機体の前後バランスを保持して安定した状態で走行しながら施肥作業ができると共に、作業中肥料タンク内の肥料不足が生じた際には、その場で容易に補給ができ、連続的に施肥作業を行うことができる施肥機における補給用肥料袋の収納装置に関するものである。
【０００２】
【従来の技術】
畑作作業における施肥機は、比較的狭い畝間を走行しながら施肥作業を行うので、機体の前後バランスが保持されないと、安定した走行ができず、施肥作業の過程で走行路の左右に位置する畝上の作物が機体に接当して、作物に損傷を与え収量に影響を及ぼす惧れがあった。
【０００３】
また、施肥作業中に肥料タンク内の肥料が不足したり、消尽したりした際は、肥料を補給するために作業を中断し、肥料を作業現場まで運搬するか、または施肥機を補給場所まで移動させて補給をしていたので、施肥作業の効率化を図ることができないという不具合があった。
【０００４】
【発明が解決しようとする課題】
本発明は上記のような実状に鑑み、従来の不具合を一掃すべく創案されたものであって、その意図するところは、機体の前部に配設した肥料タンクの下方空間部に補給用肥料袋の収納容器を配設して機体のコンパクト化を図り、機体の前後バランスを保持した状態で走行しながら施肥作業ができると共に、収納した補給用肥料袋を収納容器の四周面板で安定した状態に保持して作業中機体の振動により収納状態が乱れることがなく、また、機体が左右に傾斜しても肥料が零れないようにし、作業の進行により肥料タンク内の肥料不足が生じた際には、肥料タンクの口元近くに収納されている補給用肥料袋により容易に肥料の補給ができ、連続して施肥作業を行うことができる施肥機における補給用肥料袋の収納装置を提供することを課題とするものである。
【０００５】
【課題を解決するための手段】
上記課題を解決するため、本発明が採用した第１の技術手段は、機体の中心部位に配設した伝動ケースの左右両側に、それぞれ異なる位相で昇降駆動される施肥ノズルを配設し、該施肥ノズルで肥料タンク内の流動性肥料を圃場内に灌注する施肥機において、上記機体の前部に設けた水平タンクフレームに肥料タンクを配設し、該肥料タンクの下方空間部に補給用肥料袋の収納容器を配設したことを特徴とするものである。
【０００６】
本発明が採用した第２の技術手段は、補給用肥料袋の収納容器は、上方開放状のフラットな面板からなる直方体に形成され、補給用肥料袋を収納した状態では、水平タンクフレームの中心より左右部位に配設され、かつ対向する内側面板の後端部は水平タンクフレームに植立した回動支点軸に嵌合され、前面板の内側面板側に突設した杆状の開閉操作用把手の水平部の先端は、水平タンクフレームの前端部の左右部位に植立した垂直タンクフレームに係止された状態で、該垂直タンクフレームに取付座を介して取着した開閉レバーのフック部に係合支持され、肥料補給時には開閉レバーの下方への回動操作によりフック部との係合が解除され、回動支点軸を中心に斜め外側方に回動可能となるように構成されていることを特徴とするものである。
【０００７】
本発明が採用した第３の技術手段は、補給用肥料袋は、収納容器と略同形に形成され、相互の四周面板の対向間隔を可及的に狭く設定されていることを特徴とするものである。
【０００８】
本発明が採用した第４の技術手段は、開閉レバーは、緊締具により垂直タンクフレームに取付座を介して取着され、取付座の上部側と下部側に固着される緊締具のうち、下部側の緊締具は開閉レバーの下方への回動軌跡内に突出させて固着し、下方への回動を規制するストッパーに構成したことを特徴とするものである。
【０００９】
【発明の実施の形態】
本発明の実施の形態を添付図面に基づいて詳細に説明する。図１は施肥機の全体側面図、図２は同上全体平面図、図３は同上要部の平面図、図４（Ａ）は同上要部の正面図、（Ｂ）は同上要部の一部拡大正面図を示すものであって、１はクローラ式走行装置２を備えた施肥機であって、該施肥機１の後部に設けた機体フレーム３にはエンジン４が搭載され、該エンジン４の前方近傍部位には燃料タンク４ａを介してハンドル取付ブラケット５が機幅方向に立設され、その上端部にハンドル６が後方に延設されている。また、機体フレーム３の下方には駆動ベルト７に連動連結されたミッションケース８が設けられており、該ミッションケース８を介してクローラ式走行装置２に動力が伝達されると共に、機体の駆動部に動力が入力されるようになっている。
【００１０】
上記施肥機１の前部に設けた水平タンクフレーム９には、平面視において略亀甲状（六角形状）に形成された肥料タンク１０が、支承枠１１に固着された状態で水平タンクフレーム９の中心より左右に配設されている。１２は肥料タンク１０の下方空間部に配設された補給用肥料袋の収納容器であって、該収納容器１２は上方開放状の直方体に形成されて水平タンクフレーム９の中心より左右に縦長状態に位置し、かつ対向する内側面板１２ａの後端部を水平タンクフレーム９に植立した回動支点軸１３に嵌合した状態で、斜め外側方に回動可能に配設されている。
【００１１】
収納容器１２の前面板１２ｂには、それぞれ対向する内側面板１２ａ側の端部に、上縁１２ｃより上方へ突出させた状態で杆状の開閉操作用把手１４が設けられており、その下方中間部位は内側面板１２ａ側に向けて折曲されて水平部１４ａが形成され、その先端側近傍部位にストッパー１４ｂが取着され、該先端部は水平タンクフレーム９の中心より左右の前端部に植立した垂直タンクフレーム１５に係止されるようになっている。
【００１２】
１６は垂直タンクフレーム１５に取付座１７を介して取着された開閉レバーであって、該開閉レバー１６の回動支点の後端部側には９０度の回動角を存してフック部１６ａが設けられている。このフック部１６ａは収納容器１２が水平タンクフレーム９の左右に対向状に位置している状態で、開閉レバー１６を下方から上方に回動操作した際には、杆状の開放操作用把手１４の水平部１４ａに係合し、かつストッパー１４ｂがフック部１６ａの内側面に当接して収納容器１２が作業状態、すなわち補給用肥料袋が収納された状態に保持され、その際、フック部１６ａの後端側の肉厚を厚くして重量を重くしてあるので、作業中機体の振動でフック部１６ａが外れることはない。また、開閉レバー１６を上方から下方に回動操作してフック部１６ａと水平部１４ａとの係合を解除すると、収納容器１２は回動支点軸１３を中心として斜め外側方に回動可能となり、肥料補給状態に変位させることができる。
【００１３】
上記開閉レバー１６を垂直タンクフレーム１５に取付座１７を介して取着する際、取付座１７は緊締具１８で上部側と下部側を固着するが、下部側の緊締具１８は開閉レバー１６の上方から下方への回動軌跡内に頭部側を突出させて固着されており、当該緊締具１８が開閉レバー１６の下方への回動を規制するストッパーとして機能するようになっている。したがって、殊更ストッパーを設ける必要がないので、部品点数を少なくすることができる。
【００１４】
収納容器１２に収納される補給用肥料袋は合成樹脂を素材として収納容器１２と略同一の形状に形成されており、かつ、相互の四周面板の対向間隔が可及的に狭く設定されているので補給用肥料袋を収納容器１２に合わせて縦長に収納した際、収納状態が安定し、作業中機体の振動で収納状態が乱れることがなく、また機体が左右に傾斜しても充填されている肥料が零れにくいうえ、肥料タンク１０の口元近くに収納されているので補給も容易にできるようになっている。
【００１５】
収納容器１２の底面板１２ｄの前端部と後端部には、水抜き穴１２ｅが形成されており、したがって、補給時などに肥料が零れたとしても、底面板１２ｄには溜まらないようになっている。また、収納容器１２の外側面板１２ｆは他の面板と同様に面部には凹凸がなくフラットに形成されていると共に、略機幅に納まるように配設されているので、狭い畝間を走行しながら施肥作業を行う際、作物の引っ掛かりがなく、作物に損傷を与える惧れがない。
【００１６】
一方、前記ハンドル取付ブラケット５の前方近傍部位には、圃場の状況、生育する作物の種類に応じて施肥ノズルの打込み深さを調節する伝動ケース上下動調節機構が配設されている。そして、この伝動ケース上下動調節機構は機体フレーム３に立設したメインフレーム１９と、該メインフレーム１９の上端部に上下回動自在に枢支された操作レバー取付ブラケット２０と、該操作レバー取付ブラケット２０に固着される操作レバー２１と、取付ブラケット２０の下縁に吊持された伝動ケース２２とによって構成されている。
【００１７】
すなわち、上記メインフレーム１９は平面視コ字状に形成されて、開放側を伝動ケース２２に臨ませて立設され、対向する側壁１９ａ、１９ａにはそれぞれ伝動ケース２２側に向けて穏やかに曲成された誘導溝１９ｂ、１９ｃが上下に亘って形成されており、側壁１９ａ、１９ａの対向幅は伝動ケース２２の取付幅より若干狭く設定されている。
【００１８】
操作レバー取付ブラケット２０は、側面視横長矩形状に形成された板状体の上縁が基端側から略中央部位に亘って凹状の切欠部２０ａが形成されており、残余の基端部２０ｂはメインフレーム１９の側壁１９ａ、１９ａの対向間の上端部に上下回動自在に枢支されている。操作レバー２１はその基端部２１ａが操作レバー取付ブラケット２０の残余の上縁に固着され、先端部２１ｂは肥料タンク１０、１０の対向間隔を経て、該タンク１０、１０の前端より突出するように延設されている。
【００１９】
操作レバー取付ブラケット２０の下縁の中央部位の先端寄りには、側面視略方形状の伝動ケース２２がその上面に固着した側面視略二等辺三角形状の吊持プレート２３を介して吊持され、該伝動ケース２２の後面側にはガイドプレート２２ａ、２２ａがメインフレーム１９の側壁１９ａ、１９ａの外側面に重合するように固着されており、ガイドプレート２２ａ、２２ａにそれぞれ上段と下段の誘導溝１９ｂ、１９ｃｎ緊締具２４、２４を係合して緊締した際には伝動ケース２２が固定され、弛緩した際には上下動可能な状態になっている。
【００２０】
伝動ケース２２の出力軸（図示省略）の左右両端にはクランク軸２５が連動連結されており、該クランク軸２５には支持杆２６の上端部に軸支したクランクアーム２７が連結され、クランクアーム２７の回転軸に連動して上下動する支持杆２６の下端部に昇降杆２８を介して左右の施肥ノズル２９、２９が相互に１８０度の位相差で昇降駆動するように支持されている。上記施肥ノズル２９を支持する昇汞杆２８はクランク軸２５に軸支されたガイド板３０の誘導溝３１に沿って移動するようになっている。
【００２１】
前記施肥タンク１０、１０の後方近傍部位には、施肥ノズル２９、２９に流動性肥料を送出するプランジャポンプ３２、３２が所要の対向間隔を存して左右に２個並設されている。プランジャポンプ３２の駆動機構は、伝動ケース２２にそれぞれ独立して軸支された駆動軸３３の左右端部に、プランジャポンプ３２のロッド３２ａをピストン運動させるように揺動されるアーム３４、３４と、該アーム３４、３４の揺動によってロッド３２ａと当接するように取り付けられたローラ３５と、アーム３４、３４に揺動自在に連結された作動リンク３６、３６と、作動リンク３６、３６のアーム３４、３４に対する揺動角度を保持するように作動リンク３６、３６とアーム３４、３４とを連結する連結リンク３７、３７とのよって構成されている。
【００２２】
上記プランジャポンプ３２、３２から施肥ノズル２９、２９への流動性肥料の射出は、肥料タンク１０、１０の底部と機体フレーム３上に設置した吸引ポンプ３８、３８が機体フレーム３の下側で機体中心付近を通過して敷設されたサクションホース３９によって接続されており、吸引ポンプ３８によって吸引された肥料は、吐出ホース４０を介して分配器１へ送出され、更に分配器４１から吐出ホース４２を介してプランジャポンプ３２、３２に供給される。そのとき、アーム３４、３４の揺動によってローラ３５、３５がプランジャポンプ３２、３２のロッド３２ａ、３２ａに当接し、ロッド３２ａ、３２ａをピストン運動させて肥料を射出ホース４３から施肥ノズル２９、２９に射出する。肥料の射出は施肥ノズル２９、２９の下降作動に同期して間欠的に行うようになっている。４４は余剰肥料を肥料タンク１０、１０に戻す戻しホースである。なお、上記のようにサクションホース３９および吐出ホース４０を機体中心付近の下方に設けたので、肥料を抜く時にはドレンパイプ４５から抜けるので都合がよい。
【００２３】
肥料タンク１０、１０と前記伝動ケース上下動調節機構との間には、プランジャポンプ３２、３２の左右対向間に位置して、伝動ケース上下動位置決め機構が配設されている。この伝動ケース上下動位置決め機構は、上下方向に所要間隔を存して複数の位置決め用係止孔４６ａを形成したロッド４６が、走行フレーム２ａに取付ブラケット２ｂを介して並設支持され、該ロッド４６に遊嵌した六角状パイプ４７の上端部が前記操作レバー取付ブラケット２０の下縁先端部に吊持され、操作レバー２１の上下動操作に連動して伝動ケース２２と六角状パイプ４７が上下動され、伝動ケース２２の調節高さを設定した際、六角状パイプ４７を介して調節ピン４８をロッド４６の位置決め用係止孔４６ａに挿入することにより、前記伝動ケース上下動調節機構と相俟って、施肥ノズル２９、２９の圃場への打込み深さが生育する作物の種類に対応して最適の状態に係止できるようになっている。
【００２４】
叙上の構成において、いま、施肥作業を行うにあたっては、先ず肥料タンク１０、１０に肥料を充填した後、補給用肥料袋にも肥料を充填するが、その際には開閉レバー１６を下方に回動操作してフック部１６ａと収納容器１２の開閉操作用の杆状把手１４の水平部１４ａとの係合を解除し、収納容器１２を斜め外側方に回動させてから、補給用肥料袋を収納容器１２に収納して肥料を充填する。
【００２５】
次いで杆状の開閉操作用把手１４を把持して収納容器１２を元位置、すなわち左右対向位置に復帰させ、杆状把手１４の水平部１４ａの先端を垂直タンクフレーム１５に係止させてから、開閉レバー１６を上方へ回動操作してフック部１６ａを水平部１４ａに係合させると、水平部１４ａに取着したストッパー１４ｂはフック部１６ａの内側面に当接し、収納容器１２は作業状態に保持される。
【００２６】
そこで、伝動ケース２２の上下位置を変更して圃場の状況、生育する作物の種類に応じて施肥ノズル２９、２９の圃場への打込み深さを調節した後、エンジン４を始動して畑作圃場の畝間を走行しながら左右の施肥ノズル２９、２９で交互に１８０度の位相差で流動性肥料を灌注する。その際、機体の前部に配設した肥料タンク１０、１０の下方空間部に補給用肥料袋が収納されているので、機体はコンパクト化され、作業時には前後のバランスが保持されて安定した状態で走行しながら施肥作業ができる。そのうえ、補給用肥料袋の収納容器１２は凹凸のない面板で形成されているので、狭い畝間を走行しながら施肥作業を行っても、作物の引っ掛かりがなく、したがって、作物の損傷を与える惧れもない。
【００２７】
また、補給用肥料袋は収納容器１２と略同形に形成されている上、相互の四周面板の対向間隔が可及的に狭く設定されているので、収納容器１２の形状に合わせて安定良く収納することができ、しかも収納容器１２を作業状態に保持する開閉レバー１６のフック部１６ａは、その後端側の重量を重くしてあるため、作業中機体の振動でフック１６ａはずれる惧れがなく、安定した収納状態を保持して施肥作業ができる。更に作業中機体が左右に傾斜しても、肥料が零れにくい上、補給用肥料袋は肥料タンク１０、１０の口元近くに収納されているので、補給も容易にでき、連続して施肥作業を行うことができる。
【００２８】
【発明の効果】
以上の説明によって明らかなように、本発明によれば、次のような格別顕著な効果を奏する。
▲１▼機体の前部に配設した肥料タンクの下方空間部に、補給用肥料袋を収納する収納容器を配設したので、機体がコンパクト化され、前後のバランスが保持されて、作業時には安定した状態で走行しながら施肥作業ができる。
▲２▼補給用肥料袋の収納容器は、凹凸のない面板で形成されているので、狭い畝間を走行しながら施肥作業を行う際、作物が収納容器の外側面板に引っ掛かることなくガイドすることができ、作物に損傷を与える惧れはない。
▲３▼収納容器は、開閉レバーを下方へ回動操作してストッパーに当接した際、斜め外側方に回動可能に構成したので、補給用肥料袋の収納が容易にできると共に、開閉レバーを上方へ回動操作してフック部で作業状態に保持した際、そのフック部の後端側は重量を重くしてあるため、機体の振動でフック部が外れる惧れはない。
▲４▼補給用肥料袋は収納容器と略同形に形成し、かつ相互の四周面板の対向間隔を可及的に狭く設定したので、収納容器の形状に合わせて安定した状態で収納することができ、作業中機体が左右に傾斜しても肥料が零れにくい上、補給用肥料袋は肥料タンクの口元近くに収納できるため補給も容易にでき、連続して施肥作業を行うことができる。
【図面の簡単な説明】
【図１】施肥機の全体側面図
【図２】同上全体平面図
【図３】同上要部の平面図
【図４】（Ａ）は同上要部の正面図
（Ｂ）は同上要部の一部拡大正面図
【符号の説明】
１      施肥機
９      水平タンクフレーム
１０    肥料タンク
１２    収納容器
１２ａ  内側面板
１２ｂ  前面板
１３    回動支点軸
１４    開閉操作用の杆状把手
１４ａ  水平部
１５    垂直タンクフレーム
１６    開閉レバー
１６ａ  フック部
１７    取付座
１８    緊締具
２２    伝動ケース
２９    施肥ノズル
【図１】
0003848895.tif 000002
【図２】
0003848895.tif 000003
【図３】
0003848895.tif 000004
【図４】
0003848895.tif 000005